(57)【要約】【課題】近赤外線領域に異なる透過、吸収特性を持つ赤外線吸収インキを用いて、情報記録媒体１枚毎の情報読み取りをミクロ的に行うと同時に複数枚の情報記録媒体の情報を同時に読み取る事が可能となる情報記録媒体を提供することが課題である。【解決手段】赤外線反射性基材上に、ドットコードからなるドットコード層が形成されてなり、該ドットコード層が背景部とドットコードの集合体からなる二次元コード部を有し、該背景部を構成するドットと二次元コード部を構成するドットの赤外線吸収特性が異なることを特徴とする情報記録媒体により課題を解決できる。【選択図】図２
2010182348.tif 000002
【特許請求の範囲】
【請求項１】
赤外線反射性基材上に、ドットコードからなるドットコード層が形成されてなり、該ドットコード層が背景部とドットコードの集合体からなる二次元コード部を有し、該背景部を構成するドットと二次元コード部を構成するドットの赤外線吸収特性が異なることを特徴とする情報記録媒体。
【請求項２】
前記ドットコード層上に絵柄層が形成されていることを特徴とする情報記録媒体。
【発明の詳細な説明】
【技術分野】
【０００１】
本発明は、赤外線により読み取り可能な情報印刷物に係わり、特に情報印刷物の多重記録による新たな情報読み取り方式に関する。
【背景技術】
【０００２】
機械読み取り式の情報記録媒体として従来より、磁気記録方式、ＩＣチップによる記録方式、ＯＣＲ方式、バーコード方式等があり、用途に応じて適宜使用されている。
【０００３】
磁気記録方式は、磁性体を媒体の全面もしくは一部に設け、ＭＲセンサー（Magnetic Read Sensor）にて磁気情報を読み取る。この場合、磁気情報は目視ではわからず秘匿性は守られるが、磁気記録方式はＭＲセンサーを接触させて情報を読み取るため、ＭＲセンサーの劣化およびゴミ付きによる読み取り不良を起こす可能性があり、かつ、読み取るためにはＭＲセンサー自身もしくは媒体を一定速度で移動させる必要がある。
【０００４】
ＩＣチップによる記録方式において、特に無線による読み取りが可能なＲＦ−ＩＤ方式のＩＣチップによる記録方式は、Ｒ／Ｗに接触させる必要が無くかつ情報の秘匿性が守られる利点はあるが、ＩＣチップの価格が比較的高価な事より安価な情報記録媒体を必要とするアプリケーションには向かない。
【０００５】
ＯＣＲ方式は、文字情報、特に数字情報を画像認識して読み取る方式で、非接触読取が可能で安価ではあるが、情報が数字で表されているため秘匿性がないという問題がある。
【０００６】
バーコード方式は、バーの太さ細さ間隔の太さ等を画像認識して読み取る方式で、非接触読取が可能で安価であり、情報に関してある程度の秘匿性はあるが、複写機によるコピーに対して弱く、第三者が容易に複製できるという問題がある。
【０００７】
そのため、バーコードもしくは２次元コードを不可視化する方法が種々検討されている。例えばコード自身を可視光域では見えにくいが、近赤外線域では吸収があり赤外線を読み取ることが可能なカメラにてコードが読みとれる方式がある。この方式の場合、複写機によるコピーに対して強く、また秘匿性が守られることより、例えばトレーディングカードゲームのような用途での使用が期待される。
【０００８】
一方、プロセスカラーの墨インキを使用して、カラー印刷の網点のごとく小さいドットにて２次元コードを形成することで、安価で、非接触読み取りで、秘匿性の高い情報記録媒体の提供が可能となる。上記における問題点としては、上記方式において情報記録媒体１枚毎の読み取りには適しているが、複数枚の読み取りに於いては適していない。これを解決する方法としては、複数のカメラを使用する方法が考えられるが、ハード面での費用がかさむ問題点がある。
【０００９】
また、絵柄の上に黒色インキにて網点を全面に形成することにより、絵柄自身が全体に暗い感じとなり、絵柄によっては不適な場合もある。
【先行技術文献】
【特許文献】
【００１０】
【特許文献１】特開２００６−３３８６９０号公報
【発明の概要】
【発明が解決しようとする課題】
【００１１】
本発明は、上記の問題点に着目してなされたものであり、近赤外線領域に異なる透過、吸収特性を持つ赤外線吸収インキを用いて、情報記録媒体１枚毎の情報読み取りをミクロ的に行うと同時に複数枚の情報記録媒体の情報を同時に読み取る事が可能となる情報記録媒体を提供するものである。
【課題を解決するための手段】
【００１２】
上記の課題を解決するための手段として、請求項１に記載の発明は、赤外線反射性基材上に、ドットコードからなるドットコード層が形成されてなり、該ドットコード層が背景部とドットコードの集合体からなる二次元コード部を有し、該背景部を構成するドットと二次元コード部を構成するドットの赤外線吸収特性が異なることを特徴とする情報記録媒体である。
【００１３】
また、請求項２に記載の発明は、前記ドットコード層上に絵柄層が形成されていることを特徴とする情報記録媒体である。
【発明の効果】
【００１４】
本発明の情報記録媒体は、印刷網点の形状を成しているドットコードをミクロ的に見た場合の情報と前記ドットコードより構成されている２次元コードをマクロ的に見た場合の情報の２種類の情報が１つの情報記録媒体に記録されていることを特徴としており、ミクロ的に見る場合は、簡単な読み取り装置にて読み取りが可能であり、マクロ的に見る場合は、複数の情報記録媒体を一度に読みとることができる。
【図面の簡単な説明】
【００１５】
【図１】本発明の情報記録媒体の一実施例を示す平面図。
【図２】図１の情報記録媒体のＸ−Ｘ線における断面図。
【図３】ドットコードおよび２次元コードの配列を示した平面図。
【図４】ドットコードの構成を示した概略図。
【図５】２次元コードの構成を示した概略図。
【図６】図１の情報記録媒体のドットコードを見る場合の概略図。
【図７】図１の情報記録媒体の２次元コードを見る場合の概略図。
【図８】複数枚の情報記録媒体の２次元コードを見る場合の概略図。
【図９】赤外線吸収インキの分光特性を示すグラフ。
【図１０】赤外線吸収インキの分光特性と読み取り装置の読み取り波長の関係図
【発明を実施するための形態】
【００１６】
具体的には情報記録媒体上の一部または全部に目視では見えにくい色によるドットから構成される２次元コードを設け、このドットコードがある大きさのブロック毎に情報としての読み取りが可能で、かつ前記情報がブロック毎に繰り返し設けられていることより、情報記録媒体上の任意の点をカメラでとらえる事より、ドットコードの情報が得られる。また、前記情報記録媒体上のドットコードは、一部を近赤外線領域全域に対して吸収がある赤外線吸収インキで設けられており、それ以外はある近赤外線領域以上の波長では透過する性質の赤外線吸収インキで設けられていて、かつ前記近赤外線領域全域に対して吸収がある赤外線吸収インキで設けられたドットコードは、ドットの集合体にて別な２次元コードを成しており、その２次元コードの逆パターンにて前記ある近赤外線領域より長波長では透過する性質の赤外線吸収インキでドットコードを形成されている。これにより、本発明の情報記録媒体の全体をある近赤外線領域以下の波長をカットするフィルターを通してＣＣＤカメラで見たときに、ドットコードとは異なる２次元コードが読み取れる。
【００１７】
以下、図面を用いて本発明の実施の形態を詳細に説明する。
【００１８】
図１は本発明の情報記録媒体の一実施例を示す平面図で、図２は図１の情報記録媒体のＸ−Ｘ線における断面図である。また、図３は情報記録媒体中に設けたドットコードおよび２次元コードの配列を示した平面図、図４はドットコードの構成を示した概略図、図５は２次元コードの構成を示した概略図である。さらに図６は図１の情報記録媒体のドットコードを見る場合の概略図であり、図７は図１の情報記録媒体の２次元コードを見る場合の概略図である。図８は複数枚の情報記録媒体の２次元コードを見る場合の概略図である。図９は情報記録媒体中に使用されている赤外線吸収インキの分光特性を示すグラフであり、図１０は赤外線吸収インキの分光特性とドットコードおよび２次元コードをそれぞれ読み取る場合の読み取り装置の読み取り波長の関係図である。
【００１９】
図１は本発明の情報記録媒体１の一実施例の目視状態での見え方を示したもので、請求項２に相当する構成である。情報記録媒体１は、絵柄１２および２次元コードを形成するドットコード１３およびドットコード１４が目視では見えにくい赤外線吸収インキで設けられており、さらにドットコード１３、１４は絵柄１２の印刷網点の線数と同等もしくはそれよりやや粗い網点構成で情報記録媒体１の全面に設けられており、一見には絵柄１２のみが目視では見えている形となる。
【００２０】
図２は図１の情報記録媒体１のＸ−Ｘ線における断面図を示したもので、赤外線反射性基材１１の上にドットコード１３および１４が印刷されており、さらにその上に絵柄１２が印刷されている。この絵柄１２とドットコード１３、ｌ４は逆の層構成でも構わない。
【００２１】
図３は図１の情報記録媒体１を近赤外線領域のある波長にて見た場合の見え方で、ＣＣＤカメラにて撮影した画像をモニター２の画面を通して見た画像である。前記イエロー、マゼンタ、シアンのプロセス３色から構成される絵柄１２は近赤外線域の約７５０ｎｍ以上では見えないため、ドットコード１３、１４のみが見える。
【００２２】
図４はドットコード１３、１４の構成を示した概略図である。ドットコードは、カラー印刷で一般的に用いている網点を利用して、通常の印刷網点は縦方向および横方向に規則正しいドットの配列なのに対して、ドットの配列をある意味を持たせた形にすることで、データとしての機能を付与したものである。単体のドットコード１５はドットコードの配列の一例であるが、規則正しい配列の通常の網点に対して単体のドットコード１５は不規則配列となっている。この単体のドットコード１５を１データとして、この配列の繰り返しを縦方向、横方向に並べて複合体のドットコード１６を形成する。これにより、印刷汚れ等である部分のドットコードが読み取れなくても、他の部分のドットコードが補ってデータを読み取ることが可能となる。
【００２３】
ドットコード１３、１４のドットは、通常のオフセット印刷でカラー表示する場合の網点と同じ線数である、７５０線から１２０線が適当であり（線数とは１インチあたりの網点の列数）、一般的には１７５線を用いる場合が多い。またドットの大きさは、後述する２次元コードの読み取り易さを考慮すると大きい方が望ましい。
【００２４】
図５は本発明の情報記録媒体における２次元コードの構成を示した概略図であり、ドットコード１３の集合体によって２次元コード１８を形成する。図５は図１の情報記録媒体１を近赤外線領域のある波長にて見た場合の見え方であり、ＣＣＤカメラにて撮影した画像をモニター２の画面を通して見た画像である。前記イエロー、マゼンタ、シアンのプロセス３色のインキおよびドットコード１４を形成する赤外線吸収インキが見えない波長である近赤外線領域の約８５０ｎｍ以上で見た場合、２次元コード１８のみが見える。
【００２５】
図６は、図１の情報記録媒体１のドットコードを見る場合の概略図であり、赤外線反射
基材１１上に設けられたドットコード１３、１４は、タッチ式読み取り装置１７を情報記録媒体１に接触させて読み取る。タッチ式読み取り装置１７はＣＣＤカメラおよびレンズ、ドットコードを見るための近赤外領域の光を発光する赤外線ＬＥＤが設けられており、タッチ式読み取り装置１７を情報記録媒体１に接触させたときに焦点が合うように設計されている。且つ、ドットコードを拡大する。タッチ式読み取り装置１７によってとらえたドットコード１３、１４はモニター２を通して拡大されて映し出すことが可能で、例えばモニター２の画面上に複合体のドットコード１６の様に映し出される。実際にはモニター２にドットコード１３、１４の画像を映す必要は無く、ドットコードの配列を読み取り、データ化すればよい。本発明におけるドットコードの方式は、一般的に使用されているドットコードであれば特に制限はない。
【００２６】
図７は、図１の情報記録媒体１の２次元コードを見る場合の概略図であり、赤外線反射基材１１上に設けられた２次元コードを形成するドットコード１３は、ＣＣＤカメラ２０、赤外線ＬＥＤ２１、可視光カットフィルター２２から構成される読み取り装置から形成されている。この読み取り装置にてとらえた２次元コードを形成するドットコード１３はモニター２を通して映し出すことが可能で、例えばモニター２の画面上に２次元コード１８の様に映し出される。実際にはモニター２に２次元コード１８の画像を映す必要は無く、前記同様２次元コードの配列を読み取り、データ化すればよい。本発明における２次元コードの方式は、一般に使用されている２次元コードであれば特に問題はないが、ドットの集合体を一つのセルとして読み取るため、マトリックス式の２次元コードが望ましい。
【００２７】
図８は、複数枚の情報記録媒体１をまとめて読み取る場合の概略図であり、情報記録媒体１を複数枚同時に読み取るために、赤外線ＬＥＤの集合体２３にて複数枚の情報記録媒体１をまとめて照射して、可視光カットフィルター２２を通してＣＣＤカメラ２０で画像を取り込み、複数の２次元コードを読み取る。図８において複数枚の２次元コードをモニター２にて画像表示しているが、実際には２次元コードを読み取り、データおよびそれぞれの情報記録媒体１の位置関係をデータとして読み取ればよい。
【００２８】
図９は赤外線吸収インキの分光特性を示すグラフで、赤外線吸収インキ（１タイプ）３１、赤外線吸収インキ（２タイプ）３２の分光特性について表示している。
【００２９】
図１０は赤外線吸収インキの分光特性と読み取り装置の読み取り波長の関係図を示したもので、前記の通り赤外線吸収インキ（１タイプ）３１と赤外線吸収インキ（２タイプ）３２の近赤外線域における吸収波長域の差を利用している。具体的には、１タイプの赤外線吸収インキと２タイプの赤外線吸収インキの反射率の差が小さい波長域の赤外線を発光する赤外線ＬＥＤと反射率の差が大きい波長域の赤外線を発光する赤外線ＬＥＤを用いてドットコードを絵柄に邪魔されずに読み取ることができる。これらの赤外線ＬＥＤをタッチ式読み取り装置１７に内蔵して使用する。２次元コード１８は図１０における１タイプと２タイプの赤外線吸収インキの反射率の差が大きい赤外線波長３５の赤外線を照射することで情報記録媒体１の２次元コードを複数枚読み取ることができる。１タイプと２タイプの赤外線吸収インキの反射率の差が小さい赤外線波長３４では、情報記録媒体１の２次元コードを読み取ることができない。
【００３０】
本発明を、具体的な実施例を挙げて詳細に説明する。
【実施例１】
【００３１】
赤外線反射性基材として白色系のコートボール紙を用い、この上に集合体として２次元コードが形成できるようにドットコードを以下の赤外線吸収インキ（１タイプ）にて印刷し、さらに２次元コードの逆版が形成されるようにドットコードを以下の赤外線吸収インキ（２タイプ）を用いて印刷し、さらにその上にオフセット印刷法により絵柄をイエロー
、マゼンタ、シアンのプロセスカラー３色のみで印刷し、所定の大きさに切り、情報記録媒体を作製した。
［赤外線吸収インキ（１タイプ）の組成］
赤外線吸収インキＣＩＲ−１０８０（日本カーリット社製）          ２０部
オフセットメジウムインキＦＤ  ＯＬＰ多色ＯＰニスＴＳ−１ロ（東洋インキ製造社製）８０部
［赤外線吸収インキ（２タイプ）の組成］
赤外線吸収インキＹＫＲ−４０１０  （山本化成社製）              １０部
オフセットメジウムインキＦＤ  ＯＬＰ多色ＯＰニスＴＳ−１ロ（東洋インキ製造社製）９０部
【００３２】
上記情報記録媒体に８１０ｎｍ付近にシャープな発光特性を持つ赤外線ＬＥＤおよび接写レンズとＣＣＤカメラが付いたタッチ式読み取り装置を用いて画像を撮影したところ、ドットコードが明瞭に映し出された。このドットコードにデコーダーを通して解読したところ、ドットコードの情報が得ることができた。また、上記情報記録媒体を４枚並べて、９４０ｎｍ付近にシャープな発光特性を持つ赤外線ＬＥＤを用いて赤外線を照射し、８００ｎｍ以下の波長をカットするロングパスフィルターを通してＣＣＤカメラを用いて画像を撮影したところ、２次元コードの画像が見え、この２次元コードにデコーダーを通して解読したところ、それぞれの情報記録媒体の情報および位置情報が得られた。
【符号の説明】
【００３３】
１  情報記録媒体
２  モニター
３  情報記録媒体の集まり
４  分光グラフ
１１  赤外線反射性基材
１２  絵柄
１３  ２次元コードを形成するドットコード
１４  ドットコード
１５  単体のドットコード
１６  複合体のドットコード
１７  タッチ式読み取り装置
１８  ２次元コード
２０  ＣＣＤカメラ
２１  赤外線ＬＥＤ
２２  可視光カットフィルター
２３  赤外線ＬＥＤの集合体
３１  赤外線吸収インキ（１タイプ）の分光反射率特性
３２  赤外線吸収インキ（２タイプ）の分光反射率特性
３４  赤外線吸収インキ（１タイプ）と赤外線吸収インキ（２タイプ）の反射率の差が小さい波長域のうち、赤外線吸収インキ（２タイプ）の反射率が極小値となる波長域の赤外線波長
３５  赤外線吸収インキ（１タイプ）と赤外線吸収インキ（２タイプ）の反射率の差が大きい波長域の赤外線波長
【図１】
2010182348.tif 000003
【図２】
2010182348.tif 000004
【図３】
2010182348.tif 000005
【図４】
2010182348.tif 000006
【図５】
2010182348.tif 000007
【図６】
2010182348.tif 000008
【図７】
2010182348.tif 000009
【図８】
2010182348.tif 000010
【図９】
2010182348.tif 000011
【図１０】
2010182348.tif 000012